(57)【要約】【課題】仏壇やお線香を焚くことの宗教的な意味を尊重し、しかも、お線香のけむりによる弊害を取り除くことが出来る線香煙回収方法及びその装置を提供する。【解決手段】仏壇２の開口３の底部４に吸引口５を設けると共に底部４空間内に送風機６を設け、仏壇２の開口３の天井部７に前方に吹き出す吹出口８及び垂直方向に吹き下ろすエアーカーテン吹出口９を設けて、吸引口５からの吸引エアー１０を吹出口８からの吹出エアー１１とエアーカーテン吹出口９からのエアーカーテン１２とに分け、吹出エアー量（Ｑ１）をエアーカーテン１２による外部巻込空気量（Ｑ２）よりも大（Ｑ１＞Ｑ２）に設定して、仏壇２内を負圧域にし仏壇２の開口３全面に向かう気流１３を起こすことで、お線香２２を焚くことの宗教的な意味も全うし、且つ仏壇２上に機器を置かなくても、お線香２２のけむりによる弊害を除去出来る。【選択図】図３
2009178529.tif 000002
【特許請求の範囲】
【請求項１】
仏壇の開口の底部からエアーを吸引し、この吸引エアーを、前記仏壇の開口の天井部から前方に吹き出す吹出エアーと、前記仏壇の開口を閉じるために吹き下ろすエアーカーテンとに分け、前記吹出エアー量（Ｑ１）をエアーカーテンが前記仏壇外部から巻き込む空気量（Ｑ２）よりも大（Ｑ１＞Ｑ２）に設定して、前記仏壇内を負圧域にし、この負圧域により前記仏壇の開口全面に向かう気流を起こして、この気流により、前記仏壇前のお線香から立ち昇るけむりを、前記仏壇の開口側に平均的に誘引して、線香煙をあたかも天に昇って消滅したように形成したことを特徴とする線香煙回収方法。
【請求項２】
仏壇の開口の底部に吸引口を設けると共に前記底部空間内に送風機を設け、前記仏壇の開口の天井部に、エアーを前方に吹き出す吹出口および前記仏壇の開口を閉じるためのエアーカーテンを吹き下ろすエアーカーテン吹出口を設けて、前記吸引口からの吸引エアーを、前記吹出口からの吹出エアーと、前記エアーカーテン吹出口からのエアーカーテンとに分け、吹出エアー量（Ｑ１）をエアーカーテンが前記仏壇外部から巻き込む空気量（Ｑ２）よりも大（Ｑ１＞Ｑ２）に設定して、前記仏壇内を負圧域にし、この負圧域により前記仏壇の開口全面に向かう気流を起こすようにしたことを特徴とする線香煙回収装置。
【請求項３】
前記エアーカーテン吹出口に風量調整板を設けた請求項２記載の線香煙回収装置。
【請求項４】
前記底部空間内に空気清浄機を設けた請求項２または３記載の線香煙回収装置。
【請求項５】
前記天井部空間内に除菌イオン発生器を設けた請求項２、３または４記載の線香煙回収装置。
【請求項６】
前記仏壇に煙感知センサを取り付け、該煙感知センサにて線香煙を感知して、少なくとも前記送風機を駆動させる請求項２、３、４または５記載の線香煙回収装置。
【発明の詳細な説明】
【技術分野】
【０００１】  本発明は、仏壇前に載置した線香立てのお線香から立ち昇るけむりを、その雰囲気を壊すことなく、回収することができる線香煙回収方法及びその装置に関する。
【背景技術】
【０００２】  仏壇の前に載置した線香立てのお線香から立ち昇るけむりは、天国にいるご先祖様に捧げるものであり、その香りも多くの人々にとり好ましいものである。しかしながら、仏壇がおかれている部屋は、閉鎖的要素の高い場所に位置することが多く換気が悪い。したがって、少量のお線香をとき折焚く場合はさしたる影響が無いものの、恒常的にお線香をたく場合はその弊害が生じる虞がある。すなわち、お線香のけむりによる周囲の汚れやその付着した汚れから発する臭いなどである。お線香から立ち昇るけむりの香りは、多くの人々にとり好ましいものであるが、周囲に付着して濃縮した状態では、「香り」から「臭い」に変わり、多くの人々にとり煩わしいものである。【０００３】  したがって、上記のお線香のけむりによる弊害を除去するには、けむりが拡散する前に適切な手段で回収しそれを外部に排除するか、あるいは清浄機器により回収したけむりを除去するかの、いずれか一方あるいは双方を実行するしかない。このような観点から、以下のような技術が知られている。
【特許文献１】特開２００１−４６２１８号公報
【特許文献２】特開平１０−２３８８３２号公報
【特許文献３】特開平１０−１６０２１０号公報
【０００４】  特許文献１の線香煙回収装置は、図４に示すように、仏壇５０の天井部５１に強制排煙装置５２を取り付け、仏壇５０の前面に載置した線香立て５３のお線香５４から立ち昇るけむりを煙感知センサ５５により検知し、強制排煙装置５２を駆動させて、けむりを上部にある吸引口５６から強制排煙装置５２内に吸い込み、フィルタ５７により清浄化して、仏壇５０裏の排気口５８から排出するものである。【０００５】  特許文献２の線香煙排出装置は、図５に示すように、ソーラー式の発電器６０と、ファン及び蓄電池を内蔵している本体部６１と、この本体部６１上に立設したノズル６２とからなり、燈明台６３のロウソク６４の光により発電器６０によって発電し、本体部６１内のファンを駆動させノズル６２の先端６２ａからエアーを吹き出し、仏壇内に漂っているお線香のけむりを仏壇外に排出させるものである。【０００６】  特許文献３の線香煙回収装置は、図６に示すように、設置台７０に集煙浄化装置７１及び焼香器７２を設置してなり、この集煙浄化装置７１のファン７３を駆動させ、焼香器７２からのけむりを吸引口７４から集煙浄化装置７１内に吸い込み、フィルタ７５により清浄化して、排気口７６から排出するものである。
【発明の開示】
【発明が解決しようとする課題】
【０００７】  上記した特許文献１の線香煙回収装置は、お線香５４から立ち昇るけむりを上部にある吸引口５６から吸引し、強制排煙装置５２にて回収清浄化させる点で都合がよい。しかしながら、仏壇は宗教的な理由からご先祖様であり、その上に位置する天井部５１に強制排煙装置５２を載せることは、忌み嫌われ事実上出来ない。【０００８】  上記した特許文献２の線香煙回収装置は、お線香から立ち昇るけむりを、上方に位置するノズル６２の先端６２ａからエアーを吹き出し、仏壇内に漂っている線香のけむりを仏壇外に排出させることが出来る。しかしながら、お線香のけむりを仏壇外に排出させるためのファンの電源が、燈明台６３のロウソク６４の光や電灯の光を利用している点、発電器６０と本体部６１及びノズル６２とがあり、しかも、これらはコード６５により繋がって、仏壇回りを煩雑にしている点など、多くの使い勝手の悪さがある。【０００９】  上記した特許文献３の線香煙回収装置は、焼香器７２からのけむりを、設置台７０上の集煙浄化装置７１にある吸引口７４から吸い込み清浄化して、排気口７６から排出することが出来る。しかしながら、焼香器７２からのけむりを直ちに集煙浄化装置７１の吸引口７４から吸い込むため、焼香器７２からのけむりが立ち昇る様が無いことになる。したがって、ご焼香の意味は、焼香器７２から立ち昇るけむりを、天国にいるご先祖様に捧げるものであるから、その立ち昇るけむりが無いことは、ご焼香の意味が全く無いことになってしまう。【００１０】  そこで、本発明は、上記事情に鑑みてなされたもので、仏壇やお線香を焚くことの宗教的な意味を尊重し、しかも、お線香のけむりによる弊害を取り除くことが出来る線香煙回収方法及びその装置を提供することを課題とする。
【課題を解決するための手段】
【００１１】  本発明は、上記課題を達成するために提案されたものであって、下記の構成からなることを特徴とするものである。
すなわち、請求項１記載の線香煙回収方法は、仏壇の開口の底部からエアーを吸引し、この吸引エアーを、前記仏壇の開口の天井部から前方に吹き出す吹出エアーと、前記仏壇の開口を閉じるために吹き下ろすエアーカーテンとに分け、前記吹出エアー量（Ｑ１）をエアーカーテンが前記仏壇外部から巻き込む空気量（Ｑ２）よりも大（Ｑ１＞Ｑ２）に設定して、前記仏壇内を負圧域にし、この負圧域により前記仏壇の開口全面に向かう気流を起こして、この気流により、前記仏壇前のお線香から立ち昇るけむりを、前記仏壇の開口側に平均的に誘引して、線香煙をあたかも天に昇って消滅したように形成したことを特徴とする。【００１２】  請求項２記載の線香煙回収装置は、仏壇の開口の底部に吸引口を設けると共に前記底部空間内に送風機を設け、前記仏壇の開口の天井部に、エアーを前方に吹き出す吹出口および前記仏壇の開口を閉じるためのエアーカーテンを吹き下ろすエアーカーテン吹出口を設けて、前記吸引口からの吸引エアーを、前記吹出口からの吹出エアーと、前記エアーカーテン吹出口からのエアーカーテンとに分け、吹出エアー量（Ｑ１）をエアーカーテンが前記仏壇外部から巻き込む空気量（Ｑ２）よりも大（Ｑ１＞Ｑ２）に設定して、前記仏壇内を負圧域にし、この負圧域により前記仏壇の開口全面に向かう気流を起こすようにしたことを特徴とする。【００１３】  請求項３記載の線香煙回収装置は、前記エアーカーテン吹出口に風量調整板を設けたことを特徴とする。【００１４】  請求項４記載の線香煙回収装置は、前記底部空間内に空気清浄機を設けたことを特徴とする。【００１５】  請求項５記載の線香煙回収装置は、前記天井部空間内に除菌イオン発生器を設けたことを特徴とする。【００１６】  請求項６記載の線香煙回収装置は、前記仏壇に煙感知センサを取り付け、該煙感知センサにて線香煙を感知して、少なくとも前記送風機を駆動させることを特徴とする。
【発明の効果】
【００１７】  本発明によれば、以下のような効果がある。
請求項１記載の線香煙回収方法は、仏壇の開口の底部からの吸引エアーを、仏壇の開口の天井部からの吹出エアーとエアーカーテンとに分けて吹き出し、その吹出エアー量（Ｑ１）をエアーカーテンの外部巻込空気量（Ｑ２）よりも大（Ｑ１＞Ｑ２）に設定してあるから、仏壇内が僅かながら負圧域となり、この負圧域により仏壇の開口全面に向かう気流が起き、この気流により、お線香から立ち昇るけむりを仏壇の開口側に平均的に誘引するから、線香煙をあたかも天に昇って消滅したように形成する。したがって、仏壇やお線香を焚くことの宗教的な意味を損なうことが無く、しかも、お線香のけむりによる弊害を取り除くことが出来る効果がある。【００１８】  請求項２記載の線香煙回収装置は、送風機を駆動させ仏壇開口底部の吸引口からエアーを吸引し、仏壇開口の天井部の吹出口から前方にエアーを吹き出すと共にエアーカーテン吹出口からエアーカーテンを吹き下ろし、吹出口からの吹出エアー量（Ｑ１）をエアーカーテンの外部巻込空気量（Ｑ２）よりも大（Ｑ１＞Ｑ２）に設定してあるから、仏壇内が僅かながら負圧域となり、この負圧域により仏壇の開口全面に向かう気流が起き、この気流により、お線香から立ち昇るけむりを仏壇の開口側に平均的に誘引するから、線香煙をあたかも天に昇って消滅したように形成する。したがって、上記の効果を確実に担保する。【００１９】  請求項３記載の線香煙回収装置は、風量調整板により、エアーカーテン吹出口の開口面積を調整して、エアーカーテン吹出口からのエアーカーテン量を調整し、これにより吹出口からの吹出エアー量（Ｑ１）も調整して、吹出口からの吹出エアー量（Ｑ１）をエアーカーテンの外部巻込空気量（Ｑ２）よりも大（Ｑ１＞Ｑ２）にする設定を実行する。したがって、上記の効果を確実に実行出来る効果がある。【００２０】  請求項４記載の線香煙回収装置は、底部空間内の空気清浄機により、吸引口からエアーと共に吸引したお線香のけむりを清浄化する。したがって、上記の効果に加えて、お線香のけむりを確実に清浄化して、よりお線香のけむりによる弊害を取り除くことが出来る効果がある。【００２１】  請求項５記載の線香煙回収装置は、除菌イオン発生器により天井部空間内のエアーに除菌イオンを放出して、除菌イオン含有エアーとして吹出口およびエアーカーテン吹出口から吹き出す。したがって、上記の効果に加えて、除菌イオンによる効果も期待できる。【００２２】  請求項６記載の線香煙回収装置は、仏壇に取り付けた煙感知センサにより、お線香のけむりを検知し、少なくとも送風機を駆動させる。したがって、上記の効果に加えて、実際にお線香のけむりを検知した時に回収が始まるので、無駄なエネルギーを消費しない効果がある。
【発明を実施するための最良の形態】
【００２３】  以下に、図面を参照して本発明を実施するための最良の形態を説明する。
【実施例１】
【００２４】  図１は仏壇に本発明の線香煙回収装置を組み込んだ状態の正面からの半裁断面図、図２は図１のＩＩ−ＩＩ線に沿う断面図である。以下に、本発明の線香煙回収方法をその装置に基づいて説明する。図面において、１は線香煙回収装置であり、この線香煙回収装置１は、仏壇２の開口３の底部４に吸引口５を設けると共に底部４空間内に送風機６を設け、仏壇２の開口３の天井部７に、エアーを前方に吹き出す吹出口８および仏壇２の開口３を閉じるためのエアーカーテン１２を吹き下ろすエアーカーテン吹出口９を設けて、吸引口５からの吸引エアー１０を、吹出口８からの吹出エアー１１と、エアーカーテン吹出口９からのエアーカーテン１２とに分け、吹出エアー量（Ｑ１）をエアーカーテン１２が仏壇２外部から巻き込む空気量（Ｑ２）よりも大（Ｑ１＞Ｑ２）に設定して、仏壇２内を負圧域にし、この負圧域により仏壇２の開口３全面に向かう気流１３を起こすようにしたものである。【００２５】  前記仏壇２は、線香煙回収装置１を装備できる空間を確保できるものであれば、その大きさ及び様式に特に限定がない。この仏壇２の最下部には引出し２０があり、通常、その引出し２０上に線香立て２１を載置し、この線香立て２１に火を付けたお線香２２を立てるのである。【００２６】  前記底部４は、仏壇２の祭壇２３下に位置し、少なくとも送風機６を設けることができる空間を有している。この送風機６は、吹出口８からの吹出エアー量（Ｑ１）、エアーカーテン吹出口９からのエアーカーテン量及び外部巻込み空気量（Ｑ２）を、吸引口５から吸引でき、且つ、吹出口８およびエアーカーテン吹出口９からの吹出エアー量（Ｑ１）及びエアーカーテン量を吹き出すことが出来るのに必要な、風量と風圧とを発生可能なものであれば、特に限定がない。本実施例では風圧をあまり必要としないので、低騒音のプロペラファンを採用している。【００２７】  また、この本実施例では、送風機６のほか空気清浄機２４も設けられている。この空気清浄機２４は、ある一定の清浄化性能を有すれば特に限定がないが、吸引口５に取り付け比較的大きな粒子を除去するプレフィルター２５と、このプレフィルター２５を通過した微粒子を除去する電気集塵機２６とからなる。なお、電気集塵機２６の代わりに、高性能のメカニカルフィルターを用いても良い。そして、この底部４は、仏壇２の背面にある通路２７により前記天井部７に連絡している。【００２８】  前記天井部７には、既述のとおり、吹出口８及びエアーカーテン吹出口９が設けられ、これらの先端は整流および方向性を担保する機構、例えばハニカムコアが備えてある。また、エアーカーテン吹出口９には風量調整板２８が設けられ、この風量調整板２８をスライドさせることにより、エアーカーテン吹出口９の開口面積を調整して、エアーカーテン量を調整し、これにより吹出口８からの吹出エアー量（Ｑ１）も調整出来るから、吹出口８からの吹出エアー量（Ｑ１）をエアーカーテン１２の外部巻込空気量（Ｑ２）よりも大（Ｑ１＞Ｑ２）にする設定を、確実且つ容易に実行することが出来る。【００２９】  さらに、天井部７の空間内には、除菌イオン発生器２９が設けられている。この除菌イオン発生器２９は、除菌イオンＲを発生させ、人体に対して安全性を確保しつつ空気中に浮遊している菌やウイルスを死滅させ得るものであれば、特に限定がない。さらに、これに加えて人や物体に付着している菌やウイルスをも死滅させ得るものであれば、なおさらベターである。【００３０】  したがって、この除菌イオン発生器２９は、送風機６の下流の天井部７の空間内で、吹出口８及びエアーカーテン吹出口９の上流に位置しているから、送風機６からの吸引エアー１０に除菌イオンＲを放出すると、その下流の吹出口８から除菌イオンＲ含有の吹出エアー１１を吹き出し、さらに、エアーカーテン吹出口９から除菌イオンＲ含有のエアーカーテン１２を吹き出す。これら除菌イオンＲ含有の吹出エアー１１およびエアーカーテン１２は、前記仏壇２周辺、さらには仏壇２を設置してある部屋全体の除菌を促すことになる。【００３１】  前記した除菌イオン発生器２９としては、例えば、両イオン発生電極の間に誘電体を挟み、一方のイオン発生電極に電圧１．５ＫＶ〜３．０ＫＶ、周波数１５ＫＨｚ〜２．５ＫＨｚの交流を印加し、他方のイオン発生電極をアースした形態のものがある。この形態では、それぞれのイオン発生電極で正のイオンであるＨ＋（Ｈ２Ｏ）ｍ、あるいは負のイオンであるＯ２−（Ｈ２Ｏ）ｎ（ｍ、ｎは整数）の構造を持つものが発生する。これらの正・負のイオンは、それぞれクラスター状をなして除菌イオンＲを構成する。この除菌イオンＲは、空気中に浮遊している菌やウイルスを取り囲み、これらの菌やウイルスの表面でこれらの正・負のクラスターイオンの反応により、ヒドロキシラジカル・ＯＨまたは過酸化水素Ｈ２Ｏ２を生成し、これらにより菌やウイルスを不活化、すなわち死滅させるのである。【００３２】  また、除菌イオン発生器２９は、例えば、水に６．０ＫＶの高電圧をかけると、水は大きなエネルギーを得て表面張力を越えて次々とレイリー分裂（静電霧化）し、２０ｎｍ（ナノメートル）前後の水に包まれた除菌イオンＲである超微細なイオンが発生する形態のものでも良い。この形態のものにより発生した超微細なイオンは、ヒドロキシラジカル・ＯＨを含みしかも水により囲まれているため長持ちし、菌やウイルスを包み込んでヒドロキシラジカル・ＯＨにより菌やウイルスを死滅させるのである。なお、上記のいずれの形態のものによる除菌イオンＲでも、菌やウイルス以外に臭気成分なども分解することが可能である。【００３３】  そして、前記仏壇２の天井部７には煙感知センサ３０が取り付けられ、この煙感知センサ３０にてお線香からのけむりを検知して、少なくとも送風機６に作動信号を送り送風機６を駆動させて、仏壇２内に漂うお線香のけむりを回収し、仏壇２の外部に出すことが出来、同時に、前記空気清浄器２４及び前記除菌イオン発生器２９にも作動信号を送れば、これらを作動させることが出来る。したがって、仏壇２の引出し２０上にある線香立て２１のお線香２２から実際にけむりが立ち昇らないと、線香煙回収装置１は作動しないことになるので、必要時のみの運転となるから、無駄なエネルギーを消費しないことになる。【００３４】  次に、上記構成になる線香煙回収装置１の作動を説明する。
仏壇２の引出し２０上にある線香立て２１に火の付いたお線香２２を立てると、お線香２２のけむりは穏やかに立ち昇り、やがて煙感知センサ３０がお線香２２のけむりを検知して、線香煙回収装置１の送風機６、空気清浄器２４及び除菌イオン発生器２９に作動信号を送り、これらを作動させる。まず、送風機６の駆動により、吸引口５からエアーを吸引し、空気清浄機２４のプレフィルター２５により、灰などの比較的大きな粒子を除去し、このプレフィルター２５にて除去出来なかった微粒子を電気集塵機２６により除去する。【００３５】  清浄化された吸引エアー１０は、仏壇２背面にある通路２７を通って、仏壇２上部の天井部７に到達し、ここで除菌イオン発生器２９から放出している除菌イオンＲと混ざり、直ちに除菌作用が開始される。除菌イオンＲ含有の吸引エアー１０は、吹出口８からの吹出エアー１１とエアーカーテン吹出口９からのエアーカーテン１２とに分かれる。これらの吹出エアー１１およびエアーカーテン１２は、ハニカムコアなどの機構によりそれらの整流および方向性を担保されたものとなっている。【００３６】  そして、エアーカーテン吹出口９の風量調整板２８をスライドさせて、エアーカーテン量を調整し、これにより吹出口８からの吹出エアー量（Ｑ１）も調整出来るから、吹出口８からの吹出エアー量（Ｑ１）をエアーカーテン１２の外部巻込空気量（Ｑ２）よりも大（Ｑ１＞Ｑ２）にする設定の微調整を、実行して仏壇２内を僅かながらの負圧域にする。負圧域により、これに向かう気流１３が起き、この気流１３は仏壇２の開口３側の全面に向かうことになる。したがって、この気流１３により、線香２２から立ち昇るけむりを仏壇２の開口３側に平均的に誘引するから、線香煙をあたかも天に昇って消滅したように形成することが出来る。【００３７】  以後、上記の繰り返しとなり、線香２２から立ち昇るけむりをあたかも天に昇って消滅したように形成しつつ、線香煙を除去し且つ除菌イオンＲ含有のエアーにより除菌や脱臭もして、線香煙による仏壇２の汚れなどの弊害を除去し、且つ仏壇２の周辺は無論、仏壇２を設置してある部屋全体の環境をも改善することが出来る。【００３８】  以上、本発明の実施例１を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００３９】  本発明は、お線香を焚くことの宗教的な意味を全うし、仏壇に機器を載せること無く、お線香のけむりによる弊害を取り除きたいような場合に、その利用可能性が極めて高くなる。
【図面の簡単な説明】
【００４０】
【図１】仏壇に本発明の線香煙回収装置を組み込んだ状態の正面からの半裁断面図（実施例１）。
【図２】図１のＩＩ−ＩＩ線に沿う断面図である（実施例１）。
【図３】本発明の線香煙回収装置の利用状態を説明する図２と同上の断面図である（実施例１）。
【図４】従来例を示す斜視図である。
【図５】従来例を示す斜視図である。
【図６】従来例を示す斜視図である。
【符号の説明】
【００４１】１                      線香煙回収装置
２、５０                仏壇
３                      開口
４                      底部
５、５６、７４          吸引口
６                      送風機
７、５１                天井部
８                      吹出口
９                      エアーカーテン吹出口
１０                    吸引エアー
１１                    吹出エアー
１２                    エアーカーテン
１３                    気流
２０                    引出し
２１、５３              線香立て
２２、５４              お線香
２３                    祭壇
２４                    空気清浄機
２５                    プレフィルター
２６                    電気集塵機
２７                    通路
２８                    風量調整板
２９                    除菌イオン発生器
３０、５５              煙感知センサ
５２                    強制排煙装置
５７、７５              フィルタ
５８、７６              排気口
６０                    ソーラー式の発電器
６１                    本体部
６２                    ノズル
６２ａ                  先端
６３                    燈明台
６４                    ロウソク
６５                    コード
７０                    設置台
７１                    集煙浄化装置
７２                    焼香器
７３                    ファン
Ｑ１                    吹出エアー量
Ｑ２                    外部巻込空気量
Ｒ                      除菌イオン
【図１】
2009178529.tif 000003
【図２】
2009178529.tif 000004
【図３】
2009178529.tif 000005
【図４】
2009178529.tif 000006
【図５】
2009178529.tif 000007
【図６】
2009178529.tif 000008